(57)【特許請求の範囲】
【請求項１】
無線通信システムにおいてページングメッセージをモニタリングする方法であって、
前記方法は、ページングリスニング区間とページング不可区間を含むアイドルモードで動作する移動局により実行され、
前記方法は、
前記ページングリスニング区間中に前記ページングメッセージの一部分を受信することであって、前記ページングメッセージの受信される一部分は、前記ページングメッセージの残り部分があるかどうかを指示する拡張フラッグを含み、前記拡張フラッグは、前記ページングリスニング区間中に前記ページングメッセージの全部分を受信することができない場合に前記ページングメッセージの残り部分の存在を示す、ことと、
前記拡張フラッグが前記ページングメッセージの残り部分の存在を指示する場合、前記移動局がアウェイクしたままで前記ページングメッセージの残り部分を受信するためにフレームをモニタリングすることであって、前記フレームにおいて前記ページングメッセージの残り部分が受信され、前記フレームは、前記ページングメッセージの前記一部分が受信されるフレームの次のフレームであり、前記ページングメッセージの前記一部分および前記ページングメッセージの残り部分は、それぞれ、異なるフレームで受信される、ことと、
前記ページングメッセージの全部分を受信した後に前記移動局がページングされたか否かを決定することと、
前記ページングメッセージの全部分を受信した後に前記移動局がページングされない場合、前記ページング不可区間に入ることと
を含む、方法。
【請求項２】
前記拡張フラッグが前記ページングメッセージの残り部分の不存在を指示する場合、フレームをモニタリングしないことをさらに含む、請求項１に記載の方法。
【請求項３】
前記アイドルモードの開始の要請を指示する要請メッセージを送信することと、
前記要請メッセージに応答して応答メッセージを受信することと
をさらに含む、請求項１に記載の方法。
【請求項４】
前記応答メッセージは、ページング周期およびページングオフセットに関する情報を含み、前記ページングオフセットは、前記ページング周期内で前記ページングリスニング区間の開始点を指示するために使われる、請求項３に記載の方法。
【請求項５】
前記ページング周期は、前記ページングリスニング区間と前記ページング不可区間とを含む、請求項４に記載の方法。
【請求項６】
前記ページングリスニング区間の長さは、ページング周期当たり一つのスーパーフレームである、請求項５に記載の方法。
【請求項７】
前記要請メッセージが送信されるときにタイマーを開始することと、
前記タイマーが満了されるときまで前記応答メッセージが受信されない場合、前記要請メッセージを再送信することと
をさらに含む、請求項３に記載の方法。
【請求項８】
ページングリスニング区間とページング不可区間を含むアイドルモードで無線通信システムにおいてページングメッセージをモニタリングする装置であって、
前記装置は、
無線信号を送信および受信するように構成されたＲＦ（ｒａｄｉｏ  ｆｒｅｑｕｅｎｃｙ）部と、
前記ＲＦ部と作用可能に連結されるプロセッサと
を含み、
前記プロセッサは、
前記ページングリスニング区間中にページングメッセージの一部分を受信することであって、前記ページングメッセージの受信される一部分は、前記ページングメッセージの残り部分があるかどうかを指示する拡張フラッグを含み、前記拡張フラッグは、前記ページングリスニング区間中に前記ページングメッセージの全部分を受信することができない場合に前記ページングメッセージの残り部分の存在を示す、ことと、
前記拡張フラッグが前記ページングメッセージの残り部分の存在を指示する場合、前記プロセッサがアウェイクしたままで前記ページングメッセージの残り部分を受信するためにフレームをモニタリングすることであって、前記フレームにおいて前記ページングメッセージの残り部分が受信され、前記フレームは、前記ページングメッセージの前記一部分が受信されるフレームの次のフレームであり、前記ページングメッセージの前記一部分および前記ページングメッセージの残り部分は、それぞれ、異なるフレームで受信される、ことと、
前記ページングメッセージの全部分を受信した後に移動局がページングされたか否かを決定することと、
前記ページングメッセージの全部分を受信した後に前記移動局がページングされない場合、前記ページング不可区間に入ることと
を実行するように構成される、装置。
【請求項９】
前記プロセッサは、さらに、
前記拡張フラッグが前記ページングメッセージの残り部分の不存在を指示する場合、フレームをモニタリングしないように構成される、請求項８に記載の装置。
【請求項１０】
前記プロセッサは、さらに、
前記アイドルモードの開始の要請を指示する要請メッセージを送信することと、
前記要請メッセージに応答して応答メッセージを受信することと
を実行するように構成される、請求項８に記載の装置。
【請求項１１】
前記応答メッセージは、ページング周期およびページングオフセットに関する情報を含み、前記ページングオフセットは、前記ページング周期内で前記ページングリスニング区間の開始点を指示するために使われる、請求項１０に記載の装置。
【請求項１２】
前記ページング周期は、前記ページングリスニング区間と前記ページング不可区間とを含む、請求項１１に記載の装置。
【請求項１３】
前記ページングリスニング区間の長さは、ページング周期当たり一つのスーパーフレームである、請求項１２に記載の装置。
【請求項１４】
前記プロセッサは、さらに、
前記要請メッセージが送信されるときにタイマーを開始することと、
前記タイマーが満了されるときまで前記応答メッセージが受信されない場合、前記要請メッセージを再送信することと
を実行するように構成される、請求項１０に記載の装置。
【発明の詳細な説明】
【技術分野】
【０００１】
本発明は、無線通信に関し、より詳しくは、無線通信システムにおけるアイドルモードで動作する方法及び装置に関する。
【背景技術】
【０００２】
通信の発達とマルチメディア技術の普及とともに多様な大容量送信技術が無線通信システムに適用されている。無線容量を増大させるための方法には、一層多くの周波数リソースを割り当てる方法があるが、限定された周波数リソースを持って多数の使用者に一層多い周波数リソースを割り当てることは限界がある。限定された周波数リソースをより效率的に活用することができる方法の一つとして、セルの大きさを小さくする方法がある。セルの大きさを小さくすると、一つの基地局がサービスしなければならない使用者の数が減るため、基地局は、使用者に一層多い周波数リソースを割り当てることができる。また、セルの大きさを小さくすると、多数の使用者に一層良い状態の大容量サービスを提供することができる。
【０００３】
端末は、基地局と一定時間の間にデータを送信しなかったり受信しない場合、電力節減（ｐｏｗｅｒ  ｓａｖｉｎｇ）のためにアイドルモード（ｉｄｌｅ  ｍｏｄｅ）に切り替える。アイドルモードの端末は、基地局の送信信号を受信しない状態で一定周期にアウェイクし、ページング（ｐａｇｉｎｇ）メッセージまたはブロードキャスト（ｂｒｏａｄｃａｓｔ）メッセージを受信して活性モード（ａｃｔｉｖｅ  ｍｏｄｅ）に切り替えるかどうかを判断する。アイドルモードの端末は、位置更新（ｌｏｃａｔｉｏｎ  ｕｐｄａｔｅ）過程を実行して無線通信システムのコアネットワーク（ｃｏｒｅ  ｎｅｔｗｏｒｋ）に自体の位置を知らせる。端末の位置更新過程は、（１）タイマーベースの位置更新（ｔｉｍｅｒ  ｂａｓｅｄ  ｌｏｃａｔｉｏｎ  ｕｐｄａｔｅ）、（２）ページンググループベースの位置更新（ｐａｇｉｎｇ  ｇｒｏｕｐ  ｂａｓｅｄ  ｌｏｃａｔｉｏｎ  ｕｐｄａｔｅ）、（３）電力ダウンベースの位置更新（ｐｏｗｅｒ  ｄｏｗｎ  ｂａｓｅｄ  ｌｏｃａｔｉｏｎ  ｕｐｄａｔｅ）などに区分される。タイマーベースの位置更新は、端末の有する位置更新タイマーが満了される場合に位置更新を実行する方式である。ページンググループベースのの位置更新は、端末が自体のページンググループでない他のページンググループの領域に移動した場合に位置更新を実行する方式である。電力ダウンベースの位置更新は、端末が電源をオフする前に位置更新を実行する方式である。コアネットワークは、端末の位置更新によって端末の正確な位置を把握することができ、該当端末に対するページングメッセージを送信することができる。
【０００４】
端末は、ページング周期（ｐａｇｉｎｇ  ｃｙｃｌｅ）、ページングオフセット（ｐａｇｉｎｇ  ｏｆｆｓｅｔ）によってページングメッセージをモニタリングする。ページング周期は、ページングメッセージが送信される周期を意味し、ページングオフセットは、一つのページング周期でページングメッセージが送信される時点を指示する。端末は、現在のページング周期で自体に送信されるページングメッセージがない場合、次のページング周期で自体のページングメッセージが送信されるかどうかに対して続けてモニタリングする。
【０００５】
ページングメッセージは、ページングオフセットによって予め定義されるリソース領域を介して送信される。然しながら、ページングメッセージの以外にＶｏＩＰ（Ｖｏｉｃｅ  ｏｖｅｒ  Ｉｎｔｅｒｎｅｔ  Ｐｒｏｔｏｃｏｌ）メッセージのようにリアルタイムに送信されなければならない重要なメッセージがページングメッセージのために予め定義されたリソース領域を介して送信されることができる。このような場合、端末は、自体のページングメッセージを現在のページング周期で受信することができず、次のページング周期で受信しなければならない。これによって、端末に対するページングメッセージの送信が遅れるようになる。
【０００６】
ページングメッセージ送信の遅延を防止し、ページングメッセージを柔軟に送信することができる方法が要求される。
【発明の概要】
【発明が解決しようとする課題】
【０００７】
本発明は、ページングメッセージを受信するためにアイドルモードで動作する方法及び装置を提供する。
【０００８】
また、本発明は、ページングメッセージを效率的に送信する方法及び装置を提供する。
【課題を解決するための手段】
【０００９】
一態様で、無線通信システムにおけるページングメッセージ（ｐａｇｉｎｇ  ｍｅｓｓａｇｅ）を受信するためにアイドルモードで動作する方法が提供される。前記方法は、端末により実行される。前記方法は、ページングリスニング区間（ｐａｇｉｎｇ  ｌｉｓｔｅｎｉｎｇ  ｉｎｔｅｒｖａｌ）中にアウェイクし、前記ページングリスニング区間中に基地局から前記ページングメッセージの第１の部分を受信し、前記ページングメッセージは、前記ページングリスニング区間の拡張を指示する拡張フラッグ（ｅｘｔｅｎｓｉｏｎ  ｆｌａｇ）を含み、及び前記拡張されたページングリスニング区間中にページングメッセージの第２の部分を受信することを含む。
【００１０】
前記拡張フラッグを含む前記ページングメッセージの第１の部分を受信する場合、前記端末は、前記拡張ページングリスニング区間中に前記ページングメッセージの第２の部分のための後続フレームをモニタリングするようにアウェイクしたことを維持する。
【００１１】
前記ページングメッセージの第２の部分は、前記ページングメッセージが受信されるページングフレームで後続の最先フレームで受信される。
【００１２】
前記ページングメッセージの第２の部分は、前記速いフレーム内の一つのサブフレームで受信される。
【００１３】
前記方法は、前記ページングメッセージの第１及び第２の部分を結合して完全なページングメッセージを受信した後、前記完全なページングメッセージが前記端末に伝達されるページングメッセージが無いことを確認する場合、前記基地局がこれ以上ページングメッセージを送信しない区間であるページング不可区間に戻ることをさらに含む。
【００１４】
前記拡張フラッグを含む前記ページングメッセージの第１の部分を受信する場合、前記端末は、前記拡張ページングリスニング区間中に前記ページングメッセージの第２の部分のための後続のリソース領域をモニタリングするようにアウェイクしたことを維持する。
【００１５】
前記リソース領域は、スーパーフレーム単位またはサブフレーム単位に定義される。
【００１６】
他の態様で、無線通信システムにおけるページングメッセージ（ｐａｇｉｎｇ  ｍｅｓｓａｇｅ）を受信するためにアイドルモードで動作する端末が提供される。前記端末は、メモリ、及び前記メモリと連結されるプロセッサを含み、前記プロセッサは、ページングリスニング区間（ｐａｇｉｎｇ  ｌｉｓｔｅｎｉｎｇ  ｉｎｔｅｒｖａｌ）中にアウェイクし、前記ページングリスニング区間中に基地局から前記ページングメッセージの第１の部分を受信し、前記ページングメッセージは、前記ページングリスニング区間の拡張を指示する拡張フラッグ（ｅｘｔｅｎｓｉｏｎ  ｆｌａｇ）を含み、及び前記拡張されたページングリスニング区間中にページングメッセージの第２の部分を受信する。
【００１７】
また、他の態様で、無線通信システムにおけるページングメッセージを送信する方法が提供される。前記方法は、ページングメッセージ送信のために予め指定された第１のリソース領域でページングメッセージの第１の部分を送信し、及び第２のリソース領域で前記ページングメッセージの第２の部分を送信することを含み、前記ページングメッセージの第１の部分は、前記ページングメッセージの第２の部分の送信を指示する拡張フラッグを含む。
【００１８】
前記リソース領域は、スーパーフレーム、フレーム及びサブフレームのうちいずれか一つである。前記第２のリソース領域は、前記第１のリソース領域で後続の最先フレームである。
【００１９】
なお、他の態様で、無線通信システムにおけるページングメッセージを送信する基地局が提供される。前記基地局は、ページングメッセージ送信のために予め指定された第１のリソース領域でページングメッセージの第１の部分を送信し、及び第２のリソース領域で前記ページングメッセージの第２の部分を送信し、前記ページングメッセージの第１の部分は、前記ページングメッセージの第２の部分の送信を指示する拡張フラッグを含む。
（項目１）
無線通信システムにおける端末がページングメッセージ（ｐａｇｉｎｇ  ｍｅｓｓａｇｅ）を受信するためにアイドルモードで動作する方法において、
ページングリスニング区間（ｐａｇｉｎｇ  ｌｉｓｔｅｎｉｎｇ  ｉｎｔｅｒｖａｌ）中にアウェイクし、
前記ページングリスニング区間中に基地局から前記ページングメッセージの第１の部分を受信し、前記ページングメッセージは、前記ページングリスニング区間の拡張を指示する拡張フラッグ（ｅｘｔｅｎｓｉｏｎ  ｆｌａｇ）を含み；及び、
前記拡張されたページングリスニング区間中にページングメッセージの第２の部分を受信することを含むことを特徴とする方法。
（項目２）
前記拡張フラッグを含む前記ページングメッセージの第１の部分を受信する場合、前記端末は、前記拡張ページングリスニング区間中に前記ページングメッセージの第２の部分のための後続フレームをモニタリングするようにアウェイクしたことを維持することを特徴とする項目１に記載の方法。
（項目３）
前記ページングメッセージの第２の部分は、前記ページングメッセージが受信されるページングフレームで後続の最先フレームで受信されることを特徴とする項目２に記載の方法。
（項目４）
前記ページングメッセージの第２の部分は、前記速いフレーム内の一つのサブフレームで受信されることを特徴とする項目３に記載の方法。
（項目５）
前記ページングメッセージの第１及び第２の部分を結合して完全なページングメッセージを受信した後、前記完全なページングメッセージが前記端末に伝達されるページングメッセージが無いことを確認する場合、前記基地局がこれ以上ページングメッセージを送信しない区間であるページング不可区間に戻ることをさらに含むことを特徴とする項目１に記載の方法。
（項目６）
前記拡張フラッグを含む前記ページングメッセージの第１の部分を受信する場合、前記端末は、前記拡張ページングリスニング区間中に前記ページングメッセージの第２の部分のための後続のリソース領域をモニタリングするようにアウェイクしたことを維持することを特徴とする項目１に記載の方法。
（項目７）
前記リソース領域は、スーパーフレーム単位またはサブフレーム単位に定義されることを特徴とする項目６に記載の方法。
（項目８）
無線通信システムにおけるページングメッセージ（ｐａｇｉｎｇ  ｍｅｓｓａｇｅ）を受信するためにアイドルモードで動作する端末において、
メモリ；及び、
前記メモリと連結されるプロセッサを含み、前記プロセッサは、
ページングリスニング区間（ｐａｇｉｎｇ  ｌｉｓｔｅｎｉｎｇ  ｉｎｔｅｒｖａｌ）中にアウェイクし、
前記ページングリスニング区間中に基地局から前記ページングメッセージの第１の部分を受信し、前記ページングメッセージは、前記ページングリスニング区間の拡張を指示する拡張フラッグ（ｅｘｔｅｎｓｉｏｎ  ｆｌａｇ）を含み；及び、
前記拡張されたページングリスニング区間中にページングメッセージの第２の部分を受信することを特徴とする端末。
（項目９）
前記拡張フラッグを含む前記ページングメッセージの第１の部分を受信する場合、前記プロセッサは、前記拡張ページングリスニング区間中に前記ページングメッセージの第２の部分のための後続フレームをモニタリングするようにアウェイクしたことを維持することを特徴とする項目８に記載の端末。
（項目１０）
前記ページングメッセージの第２の部分は、前記ページングメッセージが受信されるページングフレームで後続の最先フレームで受信されることを特徴とする項目９に記載の端末。
（項目１１）
前記ページングメッセージの第１及び第２の部分を結合して完全なページングメッセージを受信した後、前記プロセッサは、前記完全なページングメッセージが前記端末に伝達されるページングメッセージが無いことを確認する場合、前記基地局がこれ以上ページングメッセージを送信しない区間であるページング不可区間に戻ることを特徴とする項目８に記載の端末。
（項目１２）
前記拡張フラッグを含む前記ページングメッセージの第１の部分を受信する場合、前記プロセッサは、前記拡張ページングリスニング区間中に前記ページングメッセージの第２の部分のための後続のリソース領域をモニタリングするようにアウェイクしたことを維持することを特徴とする項目８に記載の端末。
（項目１３）
無線通信システムにおける基地局がページングメッセージを送信する方法において、
ページングメッセージ送信のために予め指定された第１のリソース領域でページングメッセージの第１の部分を送信し；及び、
第２のリソース領域で前記ページングメッセージの第２の部分を送信することを含み、
前記ページングメッセージの第１の部分は、前記ページングメッセージの第２の部分の送信を指示する拡張フラッグを含むことを特徴とする方法。
（項目１４）
前記リソース領域は、スーパーフレーム、フレーム及びサブフレームのうちいずれか一つであることを特徴とする項目１３に記載の方法。
（項目１５）
無線通信システムにおけるページングメッセージを送信する基地局において、前記基地局は、
ページングメッセージ送信のために予め指定された第１のリソース領域でページングメッセージの第１の部分を送信し；及び、
第２のリソース領域で前記ページングメッセージの第２の部分を送信し、
前記ページングメッセージの第１の部分は、前記ページングメッセージの第２の部分の送信を指示する拡張フラッグを含むことを特徴とする基地局。
【発明の効果】
【００２０】
ページングメッセージの送信遅延を減らすことができ、ページングメッセージが效率的に送信されることができる。
【図面の簡単な説明】
【００２１】
【図１】無線通信システムを示すブロック図である。
【図２】端末の要素を示すブロック図である。
【図３】フレーム構造の一例を示す。
【図４】物理的リソースユニットのマッピングの一例を示す。
【図５】本発明の一実施例に係るページングメッセージ送信過程を実行する方法を示す。
【図６】本発明の一実施例に係るフレーム構造でページングメッセージの送信を示す。
【図７】本発明の他の実施例に係るフレーム構造でページングメッセージの送信を示す。
【図８】本発明の他の実施例に係るフレーム構造でページングメッセージの送信を示す。
【図９】本発明の他の実施例に係るフレーム構造でページングメッセージの送信を示す。
【図１０】本発明の一実施例に係るＭＡＰ情報を用いる拡張フラッグの送信を示す。
【図１１】本発明の一実施例に係るページングメッセージの送信による端末の動作を示す。
【発明を実施するための形態】
【００２２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（Ｇｌｏｂａｌ  Ｓｙｓｔｅｍ  ｆｏｒ  Ｍｏｂｉｌｅｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６ｅ（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部として、ダウンリンクでＯＦＤＭＡを採用し、アップリンクでＳＣ−ＦＤＭＡを採用する。ＩＥＥＥ８０２．１６ｍはＩＥＥＥ８０２．１６ｅの進化である。
【００２３】
図１は、無線通信システムを示すブロック図である。無線通信システムは、音声、パケットデータなどのような多様な通信サービスを提供するために広く配置される。
【００２４】
図１を参照すると、無線通信システムは、端末（Ｕｓｅｒ  Ｅｑｕｉｐｍｅｎｔ；ＵＥ）１０及び基地局（Ｂａｓｅ  Ｓｔａｔｉｏｎ；ＢＳ）２０を含む。端末１０は固定されたり移動性を有することができ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）等、他の用語で呼ばれることができる。基地局２０は、一般的に端末１０と通信する固定局（ｆｉｘｅｄ  ｓｔａｔｉｏｎ）を意味し、ノードＢ（Ｎｏｄｅ−Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局２０には一つ以上のセルが存在することができる。
【００２５】
以下、ダウンリンク（ｄｏｗｎｌｉｎｋ；ＤＬ）は基地局２０から端末１０への送信を意味して、アップリンク（ｕｐｌｉｎｋ；ＵＬ）は端末１０から基地局２０への送信を意味する。ダウンリンクで、送信機は基地局２０の一部であり、受信機は端末１０の一部である。アップリンクで、送信機は端末１０の一部であり、受信機は基地局２０の一部である。
【００２６】
図２は、端末の要素を示すブロック図である。
【００２７】
図２を参照すると、端末５０は、プロセッサ（ｐｒｏｃｅｓｓｏｒ）５１、メモリ（ｍｅｍｏｒｙ）５２、ＲＦ部（ＲＦ  ｕｎｉｔ）５３、ディスプレイ部（ｄｉｓｐｌａｙ  ｕｎｉｔ）５４、使用者インターフェース部（ｕｓｅｒ  ｉｎｔｅｒｆａｃｅ  ｕｎｉｔ）５５を含む。プロセッサ５１は、無線インターフェースプロトコルの階層を具現し、制御平面と使用者平面を提供する。各階層の機能はプロセッサ５１を介して具現されることができる。プロセッサ５１は、送受信される使用者データ及び／または制御信号を処理する。
【００２８】
メモリ５２は、プロセッサ５１と連結され、端末駆動システム、アプリケーション及び一般的なファイルを格納する。ディスプレイ部５４は、端末の多様な情報をディスプレイし、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）等、よく知られた要素を使用することができる。使用者インターフェース部５５は、キーパッドやタッチスクリーンなど、よく知られた使用者インターフェースの組合せからなることができる。ＲＦ部５３は、プロセッサと連結され、無線信号（ｒａｄｉｏｓｉｇｎａｌ）を送信及び／または受信する。
【００２９】
端末とネットワークとの間の無線インターフェースプロトコル（ｒａｄｉｏ  ｉｎｔｅｒｆａｃｅ  ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層に基づいてＬ１（第１の階層）、Ｌ２（第２の階層）、Ｌ３（第３の階層）に区分されることができる。このうち  第１の階層に属する物理階層は物理チャネル（ｐｈｙｓｉｃａｌ  ｃｈａｎｎｅｌ）を用いた情報伝送サービス（ｉｎｆｏｒｍａｔｉｏｎ  ｔｒａｎｓｆｅｒ  ｓｅｒｖｉｃｅ）を提供し、第３の階層に位置する無線リソース制御（ｒａｄｉｏ  ｒｅｓｏｕｒｃｅ  ｃｏｎｔｒｏｌ；ＲＲＣ）階層は端末とネットワークとの間に無線リソースを制御する役割を遂行する。このためにＲＲＣ階層は端末とネットワークとの間にＲＲＣメッセージを互いに交換する。
【００３０】
図３は、フレーム構造の一例を示す。
【００３１】
図３を参照すると、スーパーフレーム（Ｓｕｐｅｒｆｒａｍｅ；ＳＵ）は、スーパーフレームヘッダ（Ｓｕｐｅｒｆｒａｍｅ  Ｈｅａｄｅｒ；ＳＦＨ）と４個のフレーム（Ｆ０、Ｆ１、Ｆ２、Ｆ３）を含む。各スーパーフレームの大きさは２０ｍｓであり、各フレームの大きさは５ｍｓであると例示しているが、これに限定されるものではない。スーパーフレームヘッダはスーパーフレームの最も前方部に配置されることができ、共用制御チャネル（Ｃｏｍｍｏｎ  Ｃｏｎｔｒｏｌ  Ｃｈａｎｎｅｌ）が割り当てられる。共用制御チャネルは、スーパーフレームを構成するフレームに対する情報またはシステム情報のようにセル内の全ての端末が共通的に活用することができる制御情報を送信するために使われるチャネルである。
【００３２】
一つのフレームは、複数のサブフレーム（ＳＦ０、ＳＦ１、ＳＦ２、ＳＦ３、ＳＦ４、ＳＦ５、ＳＦ６、ＳＦ７）を含む。各サブフレームはアップリンクまたはダウンリンク送信のために使われることができる。サブフレームは、時間領域で６または７個のＯＦＤＭＡシンボルで構成されることができるが、これは例示にすぎない。フレームには、ＴＤＤ（Ｔｉｍｅ  Ｄｉｖｉｓｉｏｎ  Ｄｕｐｌｅｘｉｎｇ）方式またはＦＤＤ（Ｆｒｅｑｕｅｎｃｙ  Ｄｉｖｉｓｉｏｎ  Ｄｕｐｌｅｘｉｎｇ）方式が適用されることができる。ＴＤＤ方式で、各サブフレームは同一周波数で互いに異なる時間にアップリンク送信またはダウンリンク送信のために使われる。即ち、ＴＤＤ方式のフレーム内のサブフレームは時間領域でアップリンクサブフレームとダウンリンクサブフレームに区分される。従って、アップリンク送信とダウンリンク送信は同一周波数帯域を占めて互いに異なる時間に行われることができる。ＦＤＤ方式で、各サブフレームは同一時間の互いに異なる周波数でアップリンク送信またはダウンリンク送信のために使われる。即ち、ＦＤＤ方式のフレーム内のサブフレームは周波数領域でアップリンクサブフレームとダウンリンクサブフレームに区分される。従って、アップリンク送信とダウンリンク送信は互いに異なる周波数帯域を占めて、同時に行われることができる。
【００３３】
サブフレームは、少なくとも一つの周波数区画（Ｆｒｅｑｕｅｎｃｙ  Ｐａｒｔｉｔｉｏｎ）を含む。周波数区画は、少なくとも一つの物理的リソースユニット（Ｐｈｙｓｉｃａｌ  Ｒｅｓｏｕｒｃｅ  Ｕｎｉｔ；ＰＲＵ）で構成される。周波数区画は、連続的（Ｃｏｎｔｉｇｕｏｕｓ／ｌｏｃａｌｉｚｅｄ）ＰＲＵ及び／または分散的（Ｄｉｓｔｒｉｂｕｔｅｄ／ｎｏｎ−ｃｏｎｔｉｇｕｏｕｓ）ＰＲＵを含むことができる。周波数区画は、部分的周波数再使用（Ｆｒａｃｔｉｏｎａｌ  Ｆｒｅｑｕｅｎｃｙ  Ｒｅｕｓｅ；ＦＦＲ）またはマルチキャスト及びブロードキャストサービス（Ｍｕｌｔｉｃａｓｔ  ａｎｄ  Ｂｒｏａｄｃａｓｔ  Ｓｅｒｖｉｃｅｓ；ＭＢＳ）といったような他の目的のために使われることができる。
【００３４】
ＰＲＵは、複数個の物理的に連続的なＯＦＤＭＡシンボルと複数個の物理的に連続的な副搬送波を含むリソース割当のための基本的な物理的ユニットと定義される。ＰＲＵに含まれるＯＦＤＭＡシンボルの数は一つのサブフレームに含まれるＯＦＤＭＡシンボルの個数と同一である。例えば、一つのサブフレームが６ＯＦＤＭＡシンボルで構成される時、ＰＲＵは１８副搬送波及び６ＯＦＤＭＡシンボルで定義されることができる。論理的リソースユニット（Ｌｏｇｉｃａｌ  Ｒｅｓｏｕｒｃｅ  Ｕｎｉｔ；ＬＲＵ）は、分散的（ｄｉｓｔｒｉｂｕｔｅｄ）リソース割当及び連続的（ｃｏｎｔｉｇｉｏｕｓ）リソース割当のための基本的な論理単位である。ＬＲＵは、複数個のＯＦＤＭＡシンボルと複数個の副搬送波で定義され、ＰＲＵで使われるパイロットを含む。従って、一つのＬＲＵは、複数のデータ副搬送波を含み、データ副搬送波の個数は、割り当てられたパイロットの数に依存する。
【００３５】
分散リソースユニット（Ｄｉｓｔｒｉｂｕｔｅｄ  Ｒｅｓｏｕｒｃｅ  Ｕｎｉｔ；ＤＲＵ）は、周波数ダイバーシティ利得を得るために使われることができる。ＤＲＵは、一つの周波数区画内に分散された副搬送波グループを含む。ＤＲＵの物理的な大きさはＰＲＵの物理的な大きさと同じである。ＤＲＵで分散された各副搬送波グループを形成する最小の物理的に連続された副搬送波単位は一つ以上の副搬送波になることができる。
【００３６】
連続リソースユニット（Ｃｏｎｔｉｇｕｏｕｓ  Ｒｅｓｏｕｒｃｅ  Ｕｎｉｔｏｒ  Ｌｏｃａｌｉｚｅｄ  Ｒｅｓｏｕｒｃｅ  Ｕｎｉｔ；ＣＲＵ）は、周波数選択的スケジューリング利得を得るために使われることができる。ＣＲＵは局部的副搬送波グループを含む。ＣＲＵの物理的な大きさはＰＲＵの物理的な大きさと同じである。ＣＲＵ及びＤＲＵは、周波数領域でＦＤＭ（ｆｒｅｑｕｅｎｃｙ  ｄｉｖｉｓｉｏｎ  ｍｕｌｔｉｐｌｅｘｉｎｇ）方式にサポートされることができる。
【００３７】
図４は、物理的リソースユニットのマッピングの一例を示す。
【００３８】
図４を参照すると、システムの帯域幅で使われる全ての副搬送波はＰＲＵを構成する。一つのＰＲＵは、周波数領域で１８副搬送波を含み、時間領域で６ＯＦＤＭＡシンボルまたは７ＯＦＤＭＡシンボルで構成されることができる。ＰＲＵに含まれるＯＦＤＭシンボルの数はサブフレームの類型に依存する。サブフレームの類型には、６ＯＦＤＭシンボルを含むサブフレーム類型−１及び７ＯＦＤＭＡシンボルを含むサブフレーム類型−２があるが、これに制限されるものではなく、５ＯＦＤＭＡシンボル、９ＯＦＤＭＡシンボルなど、多様な数のＯＦＤＭＡシンボルを含むサブフレーム類型が定義されることができる。
【００３９】
ＰＲＵは、予め定められたＰＲＵパーティショニング（ＰＲＵ  ｐａｒｔｉｔｉｏｎｉｎｇ）方法に従って、サブバンド（ｓｕｂｂａｎｄ）及びミニバンド（ｍｉｎｉｂａｎｄ）に分けられる（Ｓ１１０）。サブバンドは、周波数領域で連続するＰＲＵの単位またはＣＲＵを形成する最小単位を意味する。サブバンドの周波数領域の大きさは４ＰＲＵになる。ミニバンドは、分散されるＰＲＵの単位またはＤＲＵを形成する単位を意味する。ミニバンドの周波数領域の大きさは１ＰＲＵまたはＰＲＵの整数倍になる。全体ＰＲＵでサブバンドの大きさである４ＰＲＵ単位に選択されてサブバンド及びミニバンドに割り当てられることができる。サブバンドに属するＰＲＵをＰＲＵＳＢと呼び、ミニバンドに属するＰＲＵをＰＲＵＭＢと呼ぶ。全体ＰＲＵの数はＰＲＵＳＢの数とＰＲＵＭＢの数の和と同じである。サブバンドのＰＲＵＳＢ及びミニバンドのＰＲＵＭＢは再配列される（ｒｅｏｒｄｅｒｅｄ）。サブバンドのＰＲＵＳＢは０から（ＰＲＵＳＢの数−１）までナンバリングされ、ミニバンドのＰＲＵＭＢは０から（ＰＲＵＭＢの数−１）までナンバリングされる。
【００４０】
ミニバンドのＰＲＵＭＢは、各周波数区画で周波数ダイバーシティ（ｆｒｅｑｕｅｎｃｙ  ｄｉｖｅｒｓｉｔｙ）を保障することができるように周波数領域で順序を変えるためにミニバンドパーミュテイション（ｍｉｎｉｂａｎｄ  ｐｅｒｍｕｔａｔｉｏｎ）される（Ｓ１２０）。即ち、ナンバリングされたＰＲＵＭＢは予め定められたパーミュテイション（またはマッピング規則）によって順序が変えられてＰＲＵＭＢ（ｐｅｒｍｕｔｅｄ−ＰＲＵＭＢ）になる。
【００４１】
以後、ＰＲＵＳＢ及びＰＲＵＭＢは一つ以上の周波数区画に割り当てられる。周波数区画別にＣＲＵ／ＤＲＵの割当、セクター特定パーミュテイション、副搬送波パーミュテイションなどのセル特定リソースマッピング過程が実行される。
【００４２】
以下、ページングメッセージ送信の遅延を防止し、ページングメッセージを柔軟に送信することができる方法に対して説明する。端末が電力消耗を減らすためにアイドルモード（ｉｄｌｅ  ｍｏｄｅ）に切り替える過程及びアイドルモードの端末に対するページングメッセージが送信される過程に対して説明する。然しながら、提案するページングメッセージの送信過程は端末のモードに制限されるものではない。
【００４３】
図５は、本発明の一実施例に係るページングメッセージ送信過程を実行する方法を示す。
【００４４】
図５を参照すると、端末が基地局と一定時間の間にデータを送信しなかったり受信しない時、端末は、アイドルモード（ｉｄｌｅ  ｍｏｄｅ）に切り替えを要請するために基地局に登録取消要請（ｄｅｒｅｇｉｓｔｅｒ  ｒｅｑｕｅｓｔ；ＤＲＥＧ−ＲＥＱ）メッセージを送信する（Ｓ２１０）。
【００４５】
登録取消要請メッセージを受信した基地局は、ページングコントローラ（ｐａｇｉｎｇ  ｃｏｎｔｒｏｌｌｅｒ）と端末及び基地局情報を交換する（Ｓ２２０）。ページングコントローラは、端末に対する呼び（ｃａｌｌ）またはデータパケットの送信のためのページング信号を管理する。ページングコントローラは、複数の基地局をページングのためのページンググループにグループ化して管理することができる。ページンググループに含まれる複数の基地局は、一つのページンググループＩＤ（ｉｄｅｎｔｉｆｉｅｒ）を使用することができる。端末及び基地局情報には、端末の位置更新情報、セルＩＤ、ページンググループＩＤなどが含まれる。
【００４６】
基地局は、端末に登録取消指示（ｄｅｒｅｇｉｓｔｅｒ  ｃｏｍｍａｎｄ；ＤＲＥＧ−ＣＭＤ）メッセージを送信する（Ｓ２３０）。登録取消指示メッセージは登録取消要請メッセージに対する応答である。登録取消指示メッセージが送信されないと、端末は、登録取消要請タイマー（ｔｉｍｅｒ）が満了された後に登録取消要請メッセージを再送信することができる。登録取消指示メッセージにはページングメッセージの送信周期に対する情報が含まれることができる。ページングメッセージの送信周期は、ページング周期（ｐａｇｉｎｇ  ｃｙｃｌｅ）、ページングオフセット（ｐａｇｉｎｇ  ｏｆｆｓｅｔ）及びページングリスニング区間（ｐａｇｉｎｇ  ｌｉｓｔｅｎｉｎｇ  ｉｎｔｅｒｖａｌ）のうち少なくともいずれか一つを含む。ページング周期はページングメッセージが送信される周期を意味する。ページングオフセットはページング周期でページングメッセージが送信される時点を指示する。ページングリスニング区間は、端末がページングメッセージをモニタリングしなければならない時間を意味し、基地局はページングリスニング区間中にページングメッセージを送信する。例えば、ページング周期は複数のスーパーフレームを含むことができ、ページングオフセットはサブフレームまたはフレーム単位に指示されることができ、ページングリスニング区間は、一つのスーパーフレームまたは一つ以上のフレームまたは一つ以上のサブフレームを含むことができる。
【００４７】
ＤＲＥＧ−ＣＭＤメッセージを受信した後、端末はアイドルモードに切り替える（Ｓ２４０）。アイドルモードに切り替えた端末は、ページング送信周期情報によってページングリスニング区間中にアウェイクしてページングメッセージをモニタリングし、自体に対するページングメッセージがないと、基地局の送信信号を受信しないスリープ状態（ｓｌｅｅｐ  ｓｔａｔｅ）となる。
【００４８】
端末がアイドルモードに切り替えた以後、端末に対する呼びまたはデータパケットの送信が発生する場合、ページングコントローラは基地局にページング告知（ｐａｇｉｎｇ  ａｎｎｏｕｎｃｅｍｅｎｔ）メッセージを送信する（Ｓ２５０）。
【００４９】
基地局は、ページング告知メッセージを受信する場合、端末にページングメッセージを送信する（Ｓ２６０）。ページングメッセージにはページンググループＩＤが含まれることができる。ページングメッセージは、ブロードキャストチャネル（ｂｒｏａｄｃａｓｔ  ｃｈａｎｎｅｌ）またはダウンリンク制御チャネルを介して送信されることができる。ページングメッセージは予め指定されたリソース領域を介して送信されることができる。ページングメッセージのためのリソース領域は、少なくとも一つのＣＲＵまたはＤＲＵを含むことができる。ページングメッセージのためのリソース領域は、一つのページング周期で特定フレームまたはサブフレームを意味する。
【００５０】
全体ページングメッセージは予め指定されたリソース領域を介して全部送信されないこともある。ページングメッセージの残り部分の送信のためのリソース領域の拡張／非拡張または端末のページングリスニング区間の拡張／非拡張可否を指示する拡張フラッグ（ｅｘｔｅｎｓｉｏｎ  ｆｌａｇ）がページングメッセージに含まれることができる。拡張フラッグは、他の制御信号または他の制御チャネルを介してページングメッセージと別途に送信されることもできる。拡張フラッグは、１ビットであり、ページングリスニング区間の拡張または非拡張可否を指示することができる。例えば、拡張フラッグのビット値が１の場合、ページングリスニング区間の拡張があることを意味し、拡張フラッグのビット値が０の場合、ページングリスニング区間の拡張が無いことを意味する。
【００５１】
表１は、ページングメッセージに含まれる拡張フラッグの一例を示す。ここでは拡張フラッグが１ビットのビット数を有すると仮定したが、これは制限されるものではない。
【００５２】
【表１】
0005456788.tif 000002
ここではページングメッセージを送信するための予め定義されたサブフレームまたはフレームまたはスーパーフレームが拡張フラッグのビット値が‘０’の場合に拡張されず、‘１’の場合に拡張されると示したが、これと反対にページングメッセージを送信するための予め定義されたサブフレームまたはフレームまたはスーパーフレームが拡張フラッグのビット値が‘０’の場合に拡張され、‘１’の場合に拡張されないと定義されることもできる。
【００５３】
拡張フラッグがページングリスニング区間の拡張を意味する時、ページングリスニング区間は基地局と端末との間に予め定義された時間ほど拡張されることができる。アイドルモードの端末は、拡張フラッグを含むページングメッセージを受信すると、拡張されるページングリスニング区間までアウェイク状態（ａｗａｋｅ  ｓｔａｔｅ）を維持する。例えば、ページングリスニング区間は、サブフレーム単位またはフレーム単位またはスーパーフレーム単位に拡張されることができる。端末は、ページングメッセージが送信されるサブフレームの次のサブフレームまでページングリスニング区間を拡張してモニタリングすることができる。または、端末は、ページングメッセージが送信されるフレームの次のフレームまでページングリスニング区間を拡張してモニタリングすることができる。または、端末は、ページングメッセージが送信されるスーパーフレームの次のスーパーフレームまでページングリスニング区間を拡張してモニタリングすることができる。
【００５４】
ページングメッセージのために予め指定されたリソース領域を介してページングメッセージの全部を送信することができない場合、基地局は、ページングメッセージの残り部分を拡張されたページングリスニング区間内で拡張されたリソース領域を介して送信する（Ｓ２７０）。例えば、ページングメッセージの残り部分は、拡張フラッグを含んだページングメッセージが送信されたフレームで最先の連続するフレームを介して送信されることができる。
【００５５】
端末は、自体に対するページングメッセージ及び／または残りのページングメッセージが受信されると、活性モード（ａｃｔｉｖｅ  ｍｏｄｅ）に切り替える（Ｓ２８０）。活性モードは、基地局の送信信号を持続的に受信することができる端末の一般的な状態を意味する。もし、ページングメッセージ及び／または残りのページングメッセージが自体に対するページングメッセージでない場合、端末は、電力消耗を減らすために次のページング周期までスリープ状態に戻る。活性モードに切り替えた端末は基地局との通信を実行する（Ｓ２９０）。
【００５６】
以下、残りのページングメッセージの送信のための階層的フレーム構造でリソース領域の拡張に対して説明する。階層的フレーム構造は、ダウンリンクサブフレーム及びアップリンクサブフレームが時間領域で区分されるＴＤＤ（ｔｉｍｅ  ｄｉｖｉｓｉｏｎ  ｄｕｐｌｅｘ）構造と仮定するが、提案するページングメッセージの送信過程は、ＦＤＤ（ｆｒｅｑｕｅｎｃｙ  ｄｉｖｉｓｉｏｎ  ｄｕｐｌｅｘ）フレーム構造にも適用されることができる。提案するページングメッセージの送信過程はフレーム構造に制限されるものではない。
【００５７】
図６は、本発明の一実施例に係るフレーム構造でページングメッセージの送信を示す。
【００５８】
図６を参照すると、ページング周期（ｐａｇｉｎｇ  ｃｙｃｌｅ）は５スーパーフレーム（ＳＵ）を含み、ページングオフセット（ｐａｇｉｎｇ  ｏｆｆｓｅｔ）がＳＵ１の開始点を指示する（例えば、ページングオフセットは、ＳＵ０の開始点を基準にして一つのスーパーフレームを示すことができる）と仮定する。即ち、ＳＵ１の開始点で端末のページングリスニング区間（ｐａｇｉｎｇ  ｌｉｓｔｅｎｉｎｇ  ｉｎｔｅｒｖａｌ）が開始される。また、ページングリスニング区間は１スーパーフレームと仮定する。
【００５９】
フレーム＃１の２番目のダウンリンクサブフレームがページングメッセージの送信のために予め指定されたと仮定する。以下、ページングメッセージの送信のために予め指定されるダウンリンクサブフレームをページングサブフレームという。基地局は、ページングサブフレームを介してページングメッセージを送信する。ページングサブフレームを介して拡張フラッグが送信されることができる。
【００６０】
ページングサブフレームを介してページングメッセージの全部を送信することができない場合、基地局は、ページングサブフレームに連続する最先ダウンリンクサブフレーム（フレーム＃１の３番目のダウンリンクサブフレーム）を介して残りのページングメッセージを送信する。以下、残りのページングメッセージの送信のために指定されるダウンリンクサブフレームを拡張サブフレームという。拡張フラッグのビット値が‘１’に設定され、ページングメッセージ送信のためのダウンリンクサブフレーム単位の拡張を示すことができる。拡張サブフレームを介して残りのページングメッセージが送信される。
【００６１】
アイドルモードの端末は、ダウンリンクサブフレームの拡張を示す拡張フラッグを含むページングメッセージを受信すると、スリープ状態（ｓｌｅｅｐ  ｓｔａｔｅ）に入らずアウェイク状態（ａｗａｋｅ  ｓｔａｔｅ）を維持する。即ち、拡張フラッグは、端末のページングリスニング区間がサブフレームの大きさほど拡張されることを指示することができる。端末は、拡張サブフレームをモニタリングして残り部分のページングメッセージを受信する。端末は、ページングサブフレーム及び拡張サブフレームを介して完全なページングメッセージを受信することができ、自体に伝達されるページングメッセージがあるかどうかを確認する。端末は、完全なページングメッセージを確認して自体に伝達されるページングメッセージがないと、スリープ状態に戻る。自体に伝達されるページングメッセージがあると、通信のための活性モードに切り替える。
【００６２】
図７は、本発明の他の実施例に係るフレーム構造でページングメッセージの送信を示す。図６と比較して説明すると、拡張フラッグのビット値が‘０’であり、ページングメッセージ送信のためのダウンリンクサブフレームの拡張が無いことを示す。全体ページングメッセージはページングサブフレームで送信され、拡張サブフレームは割り当てられない。アイドルモードの端末は、拡張サブフレームが割り当てられないことを指示する拡張フラッグを含むページングメッセージを受信すると、スリープ状態（ｓｌｅｅｐ  ｓｔａｔｅ）に入って電力消耗を減らすことができる。
【００６３】
図８は、本発明の他の実施例に係るフレーム構造でページングメッセージの送信を示す。
【００６４】
図８を参照すると、ページング周期は５スーパーフレーム（ＳＵ）を含み、ページングオフセットがＳＵ１の開始点を指示し、ページングリスニング区間が１スーパーフレームである。この場合、フレーム＃１の２番目のダウンリンクサブフレームがページングサブフレームと仮定する。ページングサブフレームで拡張フラッグを含んだページングメッセージが送信される。
【００６５】
ページングサブフレームが含まれた予め定義されたフレーム＃１を介してページングメッセージの全部を送信することができない場合、フレーム＃１に後続の最先フレームであるフレーム＃２を介して残りのページングメッセージが送信される。この時、拡張フラッグはページングメッセージ送信のためにフレーム単位の拡張を示す（例えば、拡張フラッグ＝１）。拡張されたフレーム（フレーム＃２）には残りのページングメッセージを送信するための拡張サブフレームが含まれることができ、残りのページングメッセージは拡張サブフレームを介して送信されることができる。
【００６６】
フレーム＃２の拡張サブフレームは、フレーム＃１のページングサブフレームとフレーム上で同一位置のサブフレームに位置してもよく、または他の位置のサブフレームに位置してもよい。
【００６７】
アイドルモードの端末は、フレーム単位の拡張を示す拡張フラッグを含むページングメッセージを受信すると、スリープ状態に入らずアウェイク状態を維持することができる。拡張フラッグは端末のページングリスニング区間がフレーム大きさほど拡張されることを意味することができる。端末は、現在のフレームでページングメッセージの全部を受信することができないと、次の連続するフレームで残りのページングメッセージを確認する。次の連続するフレームで残りのページングメッセージにも拡張フラッグがフレーム単位の拡張を示すことができ、端末は、その次の連続するフレームで続けて残りのページングメッセージを受信する。端末は、拡張されたフレームをモニタリングして残りのページングメッセージを受信することができる。端末は、完全なページングメッセージを確認して自体に伝達されるページングメッセージがないと、スリープ状態に戻り、自体に伝達されるページングメッセージがあると、通信のための活性モードに切り替える。
【００６８】
図９は、本発明の他の実施例に係るフレーム構造でページングメッセージの送信を示す。図８と比較して説明すると、ページングサブフレームを介してページングメッセージの全部を送信することができない場合、ページングサブフレームが含まれたスーパーフレームＳＵ１に連続する最先スーパーフレームＳＵ２を介して残りのページングメッセージが送信される。拡張フラッグはページングメッセージ送信のためにスーパーフレーム単位の拡張を示す（例えば、拡張フラッグ＝１）。拡張されたスーパーフレームＳＵ２には残りのページングメッセージを送信するための拡張サブフレームが含まれることができ、拡張サブフレームは、スーパーフレームＳＵ１のページングサブフレームとスーパーフレーム上で同一位置のサブフレームまたはフレームに位置してもよく、他の位置のサブフレームまたはフレームに位置してもよい。または、連続する最先フレームであるフレーム＃２の１番目のサブフレームから残っているサブフレームまでを介して残りのページングメッセージが送信されることができる。
【００６９】
アイドルモードの端末は、スーパーフレーム単位の拡張を示す拡張フラッグを含むページングメッセージを受信すると、スリープ状態に入らず次のスーパーフレームまでアウェイク状態を維持することができる。拡張フラッグは、端末のページングリスニング区間がスーパーフレーム大きさほど拡張されることを指示することができる。端末は拡張されたスーパーフレームをモニタリングして残りのページングメッセージを受信することができる。端末は、完全なページングメッセージを確認して自体に伝達されるページングメッセージがないと、スリープ状態に戻り、自体に伝達されるページングメッセージがあると、通信のための活性モードに切り替える。
【００７０】
以上、図６ないし図９で１ビットの拡張フラッグがページングメッセージに含まれると説明したが、拡張フラッグは、常にページングメッセージに含まれず、オプショナルパラメータ（ｏｐｔｉｏｎａｌ  ｐａｒａｍｅｔｅｒ）としてページングメッセージに含まれることができる。即ち、拡張フラッグは、必要によってページングメッセージに含まれてもよく、含まれなくてもよい。表２は、ページングメッセージ送信の拡張のためのオプショナルパラメータを表現した一例である。
【００７１】
【表２】
0005456788.tif 000003
前述したページングメッセージ送信過程で送信する残り部分のページングメッセージがなく、残りのページングメッセージの送信のための予め定義されたダウンリンクサブフレームまたはフレームまたはスーパーフレームの拡張が必要でない場合には拡張フラッグのような情報がページングメッセージに含まれないこともある。拡張フラッグが任意にページングメッセージに含まれるため、無線リソースの浪費を減らすことができる。
【００７２】
図１０は、本発明の一実施例に係るＭＡＰ情報を用いる拡張フラッグの送信を示す。ＴＤＤフレーム構造を例示するが、フレームの構造は制限されるものではない。
【００７３】
図１０を参照すると、ＴＤＤフレームは時間領域でダウンリンク領域（ＤＬ）及びアップリンク領域（ＵＬ）に区分される。スーパーフレームで最も前方部のフレームの場合、フレームで最も前方部の部分にスーパーフレームヘッダ（ｓｕｐｅｒ  ｆｒａｍｅ  ｈｅａｄｅｒ；ＳＦＨ）が位置することができる。スーパーフレームヘッダにはシステム情報のようなブロードキャスト情報が含まれる。ダウンリンク領域には複数のダウンリンクサブフレームが含まれ、ダウンリンクサブフレームにはユニキャスト制御情報（ｕｎｉｃａｓｔ  ｃｏｎｔｒｏｌ  ｉｎｆｏｒｍａｔｉｏｎ）が割り当てられることができる。ユニキャスト制御情報はＡ−ＭＡＰ（Ａｄｖａｎｃｅｄ  ＭＡＰ）を介して送信される。Ａ−ＭＡＰ領域は、全てのダウンリンクサブフレームに割り当てられてもよく、定められたダウンリンクサブフレームにのみ割り当てられてもよい。
【００７４】
Ａ−ＭＡＰは、使用者特定制御情報（ｕｓｅｒ−ｓｐｅｃｉｆｉｃ  ｃｏｎｔｒｏｌ  ｉｎｆｏｒｍａｔｉｏｎ）及び非使用者特定制御情報（ｎｏｎ−ｕｓｅｒ−ｓｐｅｃｉｆｉｃ  ｃｏｎｔｒｏｌ  ｉｎｆｏｒｍａｔｉｏｎ）を含むことができる。使用者特定制御情報は、ＨＡＲＱ（ｈｙｂｒｉｄ  ａｕｔｏ  ｒｅｐｅａｔ  ｒｅｑｕｅｓｔ）フィードバック情報、電力制御情報、割当情報を含むことができる。これによって、Ａ−ＭＡＰは、非使用者特定Ａ−ＭＡＰ、ＨＡＲＱフィードバックＡ−ＭＡＰ、電力制御Ａ−ＭＡＰ、割当Ａ−ＭＡＰに区分されることができる。非使用者特定Ａ−ＭＡＰには、特定使用者または特定使用者グループに対する情報が載せずに他のＡ−ＭＡＰをデコーディングするための情報が載せる。ＨＡＲＱフィードバックＡ−ＭＡＰには、アップリンクデータ送信に対するＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）情報が載せる。電力制御Ａ−ＭＡＰには、端末に対する電力制御指示が載せる。割当Ａ−ＭＡＰには、多様な類型のリソース割当情報が載せる。
【００７５】
予め指定されたリソース領域を介してページングメッセージの全部を送信することができない場合、残りのページングメッセージの送信のためのリソース領域の拡張または端末のページングリスニング区間の拡張のためにＡ−ＭＡＰ領域にページングメッセージＡ−ＭＡＰが割り当てられることができる。ページングメッセージＡ−ＭＡＰは、ページングメッセージの情報を指示する。ページングメッセージＡ−ＭＡＰは、複数の割当Ａ−ＭＡＰのうちいずれか一つを利用することができる。
【００７６】
表３は、ページングメッセージＡ−ＭＡＰの一例を示す。
【００７７】
【表３】
0005456788.tif 000004
ページングメッセージＡ−ＭＡＰを介して拡張フラッグが送信されることができる。従って、ページングメッセージはデータ領域を介して送信され、拡張フラッグはＡ−ＭＡＰ領域を介して送信されることができる。残りのページングメッセージは、連続する最先サブフレーム（またはフレームまたはスーパーフレーム）を介して送信されることができる。端末は、ページングメッセージＡ−ＭＡＰを介してページングリスニング区間の拡張があることを知ることができる。
【００７８】
一方、ページングメッセージは、複数のメッセージで分割（ｆｒａｇｍｅｎｔａｔｉｏｎ）されて送信されることができる。ページングメッセージが複数のメッセージに分割される場合、各メッセージには分割サブヘッド（ｆｒａｇｍｅｎｔａｔｉｏｎ  ｓｕｂｈｅａｄｅｒ；ＦＳＨ）が付加されて送信される。表４は、複数のメッセージに付加される分割サブヘッドの一例を示す。
【００７９】
【表４】
0005456788.tif 000005
端末は、分割されたページングメッセージを受信して分割サブヘッドを確認する。ＦＣフィールド値が１１の場合、端末は続けてページングリスニング区間中に残り部分のページングメッセージを受信する。
【００８０】
図１１は、本発明の一実施例に係るページングメッセージの送信による端末の動作を示す。
【００８１】
図１１を参照すると、アイドルモードの端末は、電力消耗を減らすために信号の送受信を抑制する電力節減（ｐｏｗｅｒ  ｓａｖｉｎｇ）状態でページング周期及びページングオフセットが指示する時点でアウェイクしてページングメッセージを受信することができるリスニング（ｌｉｓｔｅｎｉｎｇ）状態となる。電力節減状態は前述したスリープ状態を意味し、リスニング状態はアウェイク状態（ａｗａｋｅ  ｓｔａｔｅ）を意味する。一般的に、端末は、ページングメッセージが送信されないページング不可区間（ｐａｇｉｎｇ  ｕｎａｖａｉｌａｂｌｅ  ｉｎｔｅｒｖａｌ）中に電力節減状態に動作する。
【００８２】
例えば、ページングオフセットが指示するフレーム（またはスーパーフレーム）で端末はリスニング状態に切り替えてページングメッセージを受信する。ページング周期＃０のように、受信されたページングメッセージに拡張フラッグが含まると、端末は連続する次のフレームまでリスニング状態を維持してモニタリングする。連続するフレームでページングメッセージの残り部分を全部受信することができない場合には続けて連続するフレームをモニタリングする。ページングリスニング区間中にページングメッセージの全部を受信することができない場合、端末は、ページングリスニング区間を延長してリスニング状態を維持して連続するフレームをモニタリングする。端末は、ページングメッセージの全部を受信してページングメッセージが自体に伝達されるページングでない場合には電力節減状態に戻る。ページング周期＃１のように、受信されたページングメッセージに拡張フラッグが含まれず、残りのページングメッセージが送信されない場合、端末は、ページングリスニング区間中にリスニング状態を維持してページングリスニング区間が終了されると、電力節減状態に戻る。全体ページングメッセージが自体のページングメッセージである場合、端末は通信のための活性モードに切り替える。
【００８３】
ここでは拡張フラッグがページングメッセージに常に含まれることではないという仮定下に拡張フラッグを含むか否かによってページングリスニング区間の拡張可否が決定されると示した。然しながら、前述した通り、拡張フラッグは常にページングメッセージに含まれることができ、拡張フラッグのビット値によってページングリスニング区間の拡張可否が決定されることができる。
【００８４】
このように、ページングリスニング区間の拡張可否を指示する拡張フラッグを用いてページングメッセージの送信のために予め定義されたリソース領域を拡張することができ、ページングメッセージの送信遅延を減らすことができる。従って、端末は、自体のページングメッセージを速かにさがすことができ、活性モードへの切り替えを速かに実行することができる。
【００８５】
前述した全ての機能は、前記機能を遂行するようにコーディングされたソフトウェアやプログラムコードなどによるマイクロプロセッサ、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサにより実行されることができる。前記コードの設計、開発及び具現は、本発明の説明に基づいて当業者に自明である。
【００８６】
以上、本発明に対して実施例を参照して説明したが、該当技術分野の通常の知識を有する者は、本発明の技術的思想及び領域から外れない範囲内で本発明を多様に修正及び変更させて実施することができることを理解することができる。従って、前述した実施例に限定されず、本発明は、特許請求の範囲内の全ての実施例を含む。
【図１】
0005456788.tif 000006
【図２】
0005456788.tif 000007
【図３】
0005456788.tif 000008
【図４】
0005456788.tif 000009
【図５】
0005456788.tif 000010
【図６】
0005456788.tif 000011
【図７】
0005456788.tif 000012
【図８】
0005456788.tif 000013
【図９】
0005456788.tif 000014
【図１０】
0005456788.tif 000015
【図１１】
0005456788.tif 000016